(57)【要約】【課題】前側筐体に取り付けられた陰極線管の重量による前側筐体の歪みを抑制することが可能な表示装置を提供する。【解決手段】このテレビジョン受像機１（表示装置）は、防爆バンド４ｄが巻き付けられるＣＲＴ４と、ＣＲＴ４が取り付けられるフロントキャビネット２と、テレビジョン受像機１の制御回路を含むメイン配線基板６と、メイン配線基板６の裏面を支持するようにフロントキャビネット２に一体的に設けられた細長状の基板支持部２ｅと、基板支持部２ｅの前方側に、基板支持部２ｅのメイン配線基板６を支持する部分よりも高くなるように、基板支持部２ｅと一体的に設けられ、防爆バンド４ｄの下部を支持する中間リブ部２ｈとを備える。【選択図】図４
2008103946.tif 000002
【特許請求の範囲】
【請求項１】
補強バンドが巻き付けられる陰極線管と、前記陰極線管が取り付けられる前側筐体とを備えた表示装置において、
前記表示装置の制御回路を含む第１回路基板と、
前記第１回路基板の裏面を支持するように前記前側筐体に一体的に設けられた細長状の基板支持部と、
前記基板支持部の前方側に、前記基板支持部の前記第１回路基板を支持する部分よりも高くなるように、前記基板支持部と一体的に設けられ、前記補強バンドの下部を支持する第１リブ部と、
前記第１リブ部を挟むように前記第１リブ部から所定の間隔を隔てて前記前側筐体に一体的に設けられ、前記補強バンドの両端部近傍の下部をそれぞれ支持する第２リブ部と、
前記第２リブ部の近傍に前記前側筐体に一体的に設けられ、前記第２リブ部よりも低い高さを有するとともに、前記第２リブ部が破損した場合に、前記補強バンドの下部を支持する第３リブ部と、
前記第１リブ部および前記前側筐体に、前記第１リブ部の延びる方向に対して実質的に直交するように一体的に設けられた第４リブ部と、
前記第１回路基板が載置される部分よりも下方で、かつ、前記第１回路基板の前方部分に、前記第１回路基板に接続されるように配置された、前記第１回路基板よりも小さい第２回路基板とをさらに備え、
前記基板支持部の前記第１リブ部側には、前記第１回路基板の前方側の位置決めとなる段差部が設けられている、表示装置。
【請求項２】
補強バンドが巻き付けられる陰極線管と、
前記陰極線管が取り付けられる前側筐体と、
表示装置の制御回路を含む第１回路基板と、
前記第１回路基板の裏面を支持するように前記前側筐体に一体的に設けられた細長状の基板支持部と、
前記基板支持部の前方側に、前記基板支持部の前記第１回路基板を支持する部分よりも高くなるように、前記基板支持部と一体的に設けられ、前記補強バンドの下部を支持する第１リブ部とを備える、表示装置。
【請求項３】
前記第１リブ部を挟むように前記第１リブ部から所定の間隔を隔てて前記前側筐体に一体的に設けられ、前記補強バンドの両端部近傍の下部をそれぞれ支持する第２リブ部をさらに備える、請求項２に記載の表示装置。
【請求項４】
前記第２リブ部の近傍に前記前側筐体に一体的に設けられ、前記第２リブ部よりも低い高さを有するとともに、前記第２リブ部が破損した場合に、前記補強バンドの下部を支持する第３リブ部をさらに備える、請求項３に記載の表示装置。
【請求項５】
前記第１リブ部および前記前側筐体に、前記第１リブ部の延びる方向に対して実質的に直交するように一体的に設けられた第４リブ部をさらに備える、請求項２〜４のいずれか１項に記載の表示装置。
【請求項６】
前記基板支持部の前記第１リブ部側には、前記第１回路基板の前方側の位置決めとなる段差部が設けられている、請求項２〜５のいずれか１項に記載の表示装置。
【請求項７】
前記第１回路基板が載置される部分よりも下方で、かつ、前記第１回路基板の前方部分に、前記第１回路基板に接続されるように配置された、前記第１回路基板よりも小さい第２回路基板をさらに備える、請求項２〜６のいずれか１項に記載の表示装置。
【発明の詳細な説明】
【技術分野】
【０００１】
本発明は、表示装置に関し、特に、陰極線管と、陰極線管が取り付けられる前側筐体とを備えた表示装置に関する。
【背景技術】
【０００２】
従来、陰極線管と、陰極線管が取り付けられる前側筐体とを備えた表示装置が知られている（たとえば、特許文献１参照）。
【０００３】
上記特許文献１には、画像表示装置（陰極線管）が取り付けられているフロントキャビネット（前側筐体）に、フロントキャビネットよりも重量の大きい画像表示装置によって、フロントキャビネットが歪むのを防止するための補強リブおよびボス部が設けられているテレビジョン受像機（表示装置）が開示されている。また、補強リブおよびボス部は、フロントキャビネットの前面部に設けられている操作ボタンを取り付ける部分を囲むように設けられている。
【０００４】
【特許文献１】特開２００５−２６８８６８号公報
【発明の開示】
【発明が解決しようとする課題】
【０００５】
しかしながら、上記特許文献１に開示されたテレビジョン受像機では、補強リブおよびボス部は、フロントキャビネット（前側筐体）の前面部の裏面だけに設けられており、底面には設けられていないため、これらの補強リブおよびボス部では、画像表示装置（陰極線管）の下部を直接的に支持することができないという不都合がある。このため、これらの補強リブおよびボス部では、通常、フロントキャビネットの前面部よりも重心が後方に位置する画像表示装置の重量に起因して、フロントキャビネットの前面部がフロントキャビネットの後方に引っ張られてしまう力を、十分に抑制することができないため、画像表示装置が取り付けられているフロントキャビネットの歪みを十分に抑制することができないという問題点がある。
【０００６】
この発明は、上記のような課題を解決するためになされたものであり、この発明の１つの目的は、前側筐体に取り付けられた陰極線管の重量による前側筐体の歪みを抑制することが可能な表示装置を提供することである。
【課題を解決するための手段および発明の効果】
【０００７】
この発明の第１の局面による表示装置は、補強バンドが巻き付けられる陰極線管と、陰極線管が取り付けられる前側筐体とを備えた表示装置において、表示装置の制御回路を含む第１回路基板と、第１回路基板の裏面を支持するように前側筐体に一体的に設けられた細長状の基板支持部と、基板支持部の前方側に、基板支持部の第１回路基板を支持する部分よりも高くなるように、基板支持部と一体的に設けられ、補強バンドの下部を支持する第１リブ部と、第１リブ部を挟むように第１リブ部から所定の間隔を隔てて前側筐体に一体的に設けられ、補強バンドの両端部近傍の下部をそれぞれ支持する第２リブ部と、第２リブ部の近傍に前側筐体に一体的に設けられ、第２リブ部よりも低い高さを有するとともに、第２リブ部が破損した場合に、補強バンドの下部を支持する第３リブ部と、第１リブ部および前側筐体に、第１リブ部の延びる方向に対して実質的に直交するように一体的に設けられた第４リブ部と、第１回路基板が載置される部分よりも下方で、かつ、第１回路基板の前方部分に、第１回路基板に接続されるように配置された、第１回路基板よりも小さい第２回路基板とをさらに備え、基板支持部の第１リブ部側には、第１回路基板の前方側の位置決めとなる段差部が設けられている。
【０００８】
この第１の局面による表示装置では、上記のように、第１回路基板の裏面を支持するように前側筐体に一体的に設けられた細長状の基板支持部の前方側に、基板支持部の第１回路基板を支持する部分よりも高くなるように陰極線管の補強バンドの下部を支持する第１リブ部を、基板支持部に一体的に設けることによって、通常、第１回路基板が配置されるために陰極線管の補強バンドの下部を直接に支持することができない部分に、陰極線管の補強バンドの下部を支持する第１リブ部が配置されて、補強バンドの下部が直接的に支持されるので、表示装置を構成する前側筐体の大きさが縮小化されて陰極線管を支持するリブのための専用のスペースを十分に確保するのが難しい場合にも、重量物である陰極線管を下方から安定して支持することができる。これにより、通常、前側筐体の前面部よりも重心が後方に位置する陰極線管の重量に起因して、陰極線管が後方に傾くのを抑制することができるので、前側筐体に取り付けられた陰極線管の重量による前側筐体の歪みを十分に抑制することができる。
【０００９】
また、第１の局面では、前側筐体に、第１リブ部を挟むように第１リブ部から所定の間隔を隔てて、補強バンドの両端部近傍の下部をそれぞれ支持する第２リブ部を一体的に設けることによって、１つの第１リブ部および２つの第２リブ部により、陰極線管の補強バンドの下部を３点で支持することができるので、陰極線管を、より安定的に支持した状態で前側筐体に取り付けることができる。これにより、前側筐体に取り付けられた陰極線管の重量による前側筐体の歪みをより十分に抑制することができる。また、第２リブ部の近傍に、第２リブ部よりも低い高さを有するとともに、第２リブ部が破損した場合に、補強バンドの下部を支持する第３リブ部を前側筐体に一体的に設けることによって、衝撃などにより第２リブ部が破損した場合にも、第３リブ部が第２リブ部の代わりに補強バンドの下部を支持することができるので、第２リブ部が破損するのに起因して表示装置全体が破損するのを抑制することができる。また、第１リブ部の延びる方向に対して実質的に直交するように一体的に設けられた第４リブ部を第１リブ部および前側筐体に一体的に設けることによって、第１リブ部に対して、第１リブ部の延びる方向に実質的に直交する方向に負荷が与えられた際に、第４リブ部により、容易に、第１リブ部が第１リブ部に実質的に直交する方向に歪むのを抑制することができるので、第１リブ部の機械的強度を向上させることができる。また、基板支持部の第１リブ部側に、第１回路基板の前方側の位置決めとなる段差部を設けることによって、第１回路基板が第１リブ部側に移動するのを容易に抑制することができる。また、第１回路基板が載置される部分よりも下方で、かつ、第１回路基板の前方部分に、第１回路基板に接続されるように配置された、第１回路基板よりも小さい第２回路基板が配置されることによって、第１リブ部が配置されているため前方まで配置することができない第１回路基板に代わって、第１回路基板が載置されないような小さな部分にかつ、第１リブ部の高さよりも低い部分に第２回路基板を配置することができるので、通常、補強バンドの下部を直接に支持できない部分に第１リブ部を設けることができる。
【００１０】
この発明の第２の局面による表示装置は、補強バンドが巻き付けられる陰極線管と、陰極線管が取り付けられる前側筐体と、表示装置の制御回路を含む第１回路基板と、第１回路基板の裏面を支持するように前側筐体に一体的に設けられた細長状の基板支持部と、基板支持部の前方側に、基板支持部の第１回路基板を支持する部分よりも高くなるように、基板支持部と一体的に設けられ、補強バンドの下部を支持する第１リブ部とを備える。
【００１１】
この第２の局面による表示装置では、上記のように、第１回路基板の裏面を支持するように前側筐体に一体的に設けられた細長状の基板支持部の前方側に、基板支持部の第１回路基板を支持する部分よりも高くなるように陰極線管の補強バンドの下部を支持する第１リブ部を、基板支持部に一体的に設けることによって、通常、第１回路基板が配置されるために陰極線管の補強バンドの下部を直接に支持することができない部分に、陰極線管の補強バンドの下部を支持する第１リブ部が配置されて、補強バンドの下部が直接的に支持されるので、表示装置を構成する前側筐体の大きさが縮小化されて陰極線管を支持するリブのための専用のスペースを十分に確保するのが難しい場合にも、重量物である陰極線管を下方から安定して支持することができる。これにより、通常、前側筐体の前面部よりも重心が後方に位置する陰極線管の重量に起因して、陰極線管が後方に傾くのを抑制することができるので、前側筐体に取り付けられた陰極線管の重量による前側筐体の歪みを十分に抑制することができる。
【００１２】
この発明の第２の局面による表示装置において、好ましくは、第１リブ部を挟むように第１リブ部から所定の間隔を隔てて前側筐体に一体的に設けられ、補強バンドの両端部近傍の下部をそれぞれ支持する第２リブ部をさらに備える。このように構成すれば、１つの第１リブ部および２つの第２リブ部により、陰極線管の補強バンドの下部を３点で支持することができるので、陰極線管を、より安定的に支持した状態で前側筐体に取り付けることができる。これにより、前側筐体に取り付けられた陰極線管の重量による前側筐体の歪みをより十分に抑制することができる。
【００１３】
この場合において、好ましくは、第２リブ部の近傍に前側筐体に一体的に設けられ、第２リブ部よりも低い高さを有するとともに、第２リブ部が破損した場合に、補強バンドの下部を支持する第３リブ部をさらに備える。このように構成すれば、衝撃などにより第２リブ部が破損した場合にも、第３リブ部が第２リブ部の代わりに補強バンドの下部を支持することができるので、第２リブ部が破損するのに起因して表示装置全体が破損するのを抑制することができる。
【００１４】
この発明の第２の局面による表示装置において、好ましくは、第１リブ部および前側筐体に、第１リブ部の延びる方向に対して実質的に直交するように一体的に設けられた第４リブ部をさらに備える。このように構成すれば、第１リブ部に対して、第１リブ部の延びる方向に実質的に直交する方向に負荷が与えられた際に、第４リブ部により、容易に、第１リブ部が第１リブ部に実質的に直交する方向に歪むのを抑制することができるので、第１リブ部の機械的強度を向上させることができる。
【００１５】
この発明の第２の局面による表示装置において、好ましくは、基板支持部の第１リブ部側には、第１回路基板の前方側の位置決めとなる段差部が設けられている。このように構成すれば、第１回路基板が第１リブ部側に移動するのを容易に抑制することができる。
【００１６】
この発明の第２の局面による表示装置において、好ましくは、第１回路基板が載置される部分よりも下方で、かつ、第１回路基板の前方部分に、第１回路基板に接続されるように配置された、第１回路基板よりも小さい第２回路基板をさらに備える。このように構成すれば、第１リブ部が配置されているため前方まで配置することができない第１回路基板に代わって、第１回路基板が載置されないような小さな部分にかつ、第１リブ部の高さよりも低い部分に第２回路基板を配置することができるので、通常、補強バンドの下部を直接に支持できない部分に第１リブ部を設けることができる。
【発明を実施するための最良の形態】
【００１７】
以下、本発明を具体化した実施形態を図面に基づいて説明する。
【００１８】
図１は、本発明の一実施形態によるテレビジョン受像機の全体構成を示した斜視図である。図２は、図１に示した一実施形態によるテレビジョン受像機の分解斜視図である。図３〜図８は、図１に示した一実施形態によるテレビジョン受像機の構造を詳細に説明するための図である。図１〜図８を参照して、本発明の一実施形態によるテレビジョン受像機の構造について説明する。なお、本実施形態では、表示装置の一例であるテレビジョン受像機に本発明を適用した場合について説明する。
【００１９】
本発明の一実施形態によるテレビジョン受像機１は、図１〜図３に示すように、テレビジョン受像機１の外枠を構成するフロントキャビネット２およびリアキャビネット３と、フロントキャビネット２に取り付けられたＣＲＴ（陰極線管）４と、樹脂製のホルダ５と、ホルダ５に取り付けられ、テレビジョン受像機１を制御する制御回路部品が実装されたメイン配線基板６と、フロントキャビネット２の前方に設けられている複数のスイッチ部７に接続されるとともにホルダ５に取り付けられているサブ基板８と、スピーカー９と、ＣＲＴ４を制御するためのＣＲＴ用配線基板１０とを備えている。なお、フロントキャビネット２は、本発明の「前側筐体」の一例である。また、メイン配線基板６は、本発明の「第１回路基板」の一例であり、サブ基板８は、本発明の「第２回路基板」の一例である。
【００２０】
また、本実施形態では、フロントキャビネット２には、図１、図２および図５に示すように、ＣＲＴ４の表示領域４ａが露出される表示窓２ａが設けられている。また、図４、図７および図８に示すように、フロントキャビネット２の底面２ｂには、一対のレール部２ｃが底面２ｂに一体的に形成されている。図４に示すように、これらの一対のレール部２ｃには、それぞれ、その開放部が互いに向かい合うようにＵ字状の溝部２ｄが形成され、メイン配線基板６の側部は、それぞれ、溝部２ｄに係合されるように配置されている。
【００２１】
また、図２および図６〜図８に示すように、一対のレール部２ｃの間には、レール部２ｃに係合されたメイン配線基板６の幅方向（矢印Ｌおよび矢印Ｒ方向）の中央部近傍の裏面を支持する細長状の基板支持部２ｅが底面２ｂに一体的に設けられている。この基板支持部２ｅの上面部は、レール部２ｃの溝部２ｄの底面２ｂ側の内面と、ほぼ同じ高さになるように形成されている。また、図５、図７および図８に示すように、基板支持部２ｅの前方（矢印Ａ方向）部分には、メイン配線基板６の前方（矢印Ａ方向）側の位置決めとなる段差状のストッパ部２ｆが設けられている。なお、ストッパ部２ｆは、本発明の「段差部」の一例である。これにより、メイン配線基板６の前方部６ａがストッパ部２ｆに当接するので、メイン配線基板６が前方（矢印Ａ方向）側に移動するのを抑制することが可能となる。
【００２２】
ここで、本実施形態では、ストッパ部２ｆの前方（矢印Ａ方向）には、中継部２ｇを挟んで後述するＣＲＴ４の防爆バンド４ｄ下部の中間位置を支持するための中間リブ部２ｈが基板支持部２ｅに一体的に設けられている。なお、中間リブ部２ｈは、本発明の「第１リブ部」の一例である。この中間リブ部２ｈは、フロントキャビネット２の前面部２ｉの裏面２ｊに接続されるとともに、基板支持部２ｅのメイン配線基板６を支持する部分よりも高くなるように構成されている。また、中間リブ部２ｈの前方部には、水平リブ部２ｋが、中間リブ部２ｈの延びる方向（矢印Ａ方向）に直交する方向(矢印Ｒ方向およびＬ方向)に延びるとともに、フロントキャビネット２の前面部２ｉの裏面２ｊ側と中間リブ部２ｈの前方部との両方に接続するように設けられている。なお、水平リブ部２ｋは、本発明の「第４リブ部」の一例である。この水平リブ部２ｋは、中間リブ部２ｈに直交する方向（矢印Ｌおよび矢印Ｒ方向）に力が付与された際に、中間リブ部２ｈが中間リブ部２ｈに実質的に直交する方向（矢印Ｌおよび矢印Ｒ方向）に歪むのを抑制する機能を有する。
【００２３】
また、本実施形態では、図４および図６に示すように、フロントキャビネット２の前面部２ｉの裏面２ｊ側下部の両端部近傍には、それぞれ、ＣＲＴ４の防爆バンド４ｄ下部の両端部近傍を支持するための下部両端リブ部２ｌがフロントキャビネット２に一体的に設けられている。なお、下部両端リブ部２ｌは、本発明の「第２リブ部」の一例である。この各下部両端リブ部２ｌは、中間リブ部２ｈを挟むように所定の間隔を隔てて設けられている。このため、ＣＲＴ４の防爆バンド４ｄの下部は、中間リブ部２ｈと各下部両端リブ部２ｌとの３点で支持される。また、下部両端リブ部２ｌには、それぞれ、下部両端リブ部２ｌに実質的に直交する方向（矢印Ｌおよび矢印Ｒ方向）の力に対抗するドーム状の補強部２ｍが設けられている。
【００２４】
また、本実施形態では、各下部両端リブ部２ｌ近傍の中間リブ部２ｈ側には、それぞれ、第１下部補助リブ部２ｎが設けられている。なお、第１下部補助リブ部２ｎは、本発明の「第３リブ部」の一例である。この第１下部補助リブ部２ｎは、下部両端リブ部２ｌよりも低い高さを有するとともに、下部両端リブ部２ｌが破損した場合にＣＲＴ４の防爆バンド４ｄの下部を支持する機能を有する。また、第１下部補助リブ部２ｎには、それぞれ、下部両端リブ部２ｌと同様に、第１下部補助リブ部２ｎに実質的に直交する方向（矢印Ｌおよび矢印Ｒ方向）の力に対抗するドーム状の補強部２ｏが設けられている。
【００２５】
また、各第１下部補助リブ部２ｎ近傍の中間リブ部２ｈ側には、それぞれ、第２下部補助リブ部２ｐが設けられている。この第２下部補助リブ部２ｐは、第１下部補助リブ部２ｎよりも低い高さを有するとともに、下部両端リブ部２ｌおよび第１下部補助リブ部２ｎが破損した場合にＣＲＴ４の防爆バンド４ｄの下部を支持する機能を有する。また、第２下部補助リブ部２ｐには、それぞれ、下部両端リブ部２ｌおよび第１下部補助リブ部２ｎと同様に、第２下部補助リブ部２ｐに実質的に直交する方向（矢印Ｌおよび矢印Ｒ方向）の力に対抗する補強部２ｑが設けられている。また、下部両端リブ部２ｌの補強部２ｍと第１下部補助リブ部２ｎの補強部２ｏと第２下部補助リブ部２ｐの補強部２ｑとに接続するとともに、フロントキャビネット２の前面部２ｉの裏面２ｊに接続するように水平リブ部２ｒが設けられている。
【００２６】
また、図６に示すように、フロントキャビネット２の前面部２ｉの裏面２ｊの両内側面部分には、それぞれ、４箇所の側面リブ部２ｓが設けられている。これらの側面リブ部２ｓは、それぞれ、ＣＲＴ４の防爆バンド４ｄの両側面を支持する機能を有する。また、側面リブ部２ｓには、それぞれ、側面リブ部２ｓに実質的に直交する方向の力に対抗するドーム状の補強部２ｔが設けられている。また、フロントキャビネット２の前面部２ｉの裏面２ｊの上部内側面部分には、４箇所の上側リブ部２ｕが設けられている。これらの上側リブ部２ｕは、ＣＲＴ４の防爆バンド４ｄの上側面を支持する機能を有する。また、上側リブ部２ｕには、それぞれ、上側リブ部２ｕに実質的に直交する方向の力に対抗する補強部２ｖが設けられている。
【００２７】
また、図２および図６に示すように、フロントキャビネット２の前面部２ｉの裏面２ｊの上部内側面の両端部分、下部内側面の両側端部分および両内側面部分には、それぞれ、リアキャビネット３を取り付ける際にねじ部材５０が挿入されるキャビネット取付ボス部２ｗが設けられている。また、図４および図６に示すように、フロントキャビネット２の前面部２ｉの裏面２ｊの上部内側面の両端部分および下部内側面の両側端部分には、ＣＲＴ４をフロントキャビネット２に取り付ける際にねじ部材５１が挿入されるＣＲＴ取付ボス部２ｘが設けられている。
【００２８】
また、リアキャビネット３は、図２に示すように、フロントキャビネット２の６箇所のキャビネット取付ボス部２ｗ（図６参照）に対して、それぞれ、ねじ部材５０を締め付けることにより、フロントキャビネット２に取り付けられている。
【００２９】
また、ＣＲＴ４は、図１〜図５に示すように、表示領域４ａがフロントキャビネット２の表示窓２ａから露出した状態でフロントキャビネット２に取り付けられている。このＣＲＴ４は、表示領域４ａと、電子ビームを発射させる電子銃４ｂと、真空領域を形成するガラス管４ｃと、ガラス管４ｃに巻き付けられる鉄製の防爆バンド４ｄとを含んでいる。また、ＣＲＴ４の防爆バンド４ｄは、帯状に形成されるとともに、ガラス管４ｃに所定の位置で巻き付けられることにより、真空状態のガラス管４ｃが破壊された場合に爆発的に収縮するのを防止する機能を有する。また、ガラス管４ｃに実質的に長方形に巻き付けられた防爆バンド４ｄの４つの角部には、それぞれ、ＣＲＴ４をフロントキャビネット２に取り付けるためのねじ挿入孔４ｅが形成されたねじ取付部４ｆが形成されている。そして、ねじ取付部４ｆのねじ挿入孔４ｅを介してフロントキャビネット２のＣＲＴ取付ボス部２ｘ（図２〜図４参照）にねじ部材５１が取り付けられることにより、ＣＲＴ４がフロントキャビネット２に取り付けられている。なお、防爆バンド４ｄは、本発明の「補強バンド」の一例である。
【００３０】
また、図２および図３に示すように、メイン配線基板６には、アンテナ線を差し込むアンテナ差込部６１と、ＣＲＴ４に高電圧を供給するフライバックトランス（Ｆｌｙ  Ｂａｃｋ  Ｔｒａｎｓｆｏｒｍｅｒ）６２と、他の機器との接続の際に使用する端子接続部６３と、外部から電力を取り込むプラグコード６４とが取り付けられている。また、メイン配線基板６には、ねじ挿入穴６ｂが設けられるとともに、樹脂製のホルダ５がねじ部材５２によって固定されている。
【００３１】
また、本実施形態では、図２、図３および図８に示すように、樹脂製のホルダ５には、フロントキャビネット２の前方に設けられている複数のスイッチ部７に接続されるサブ基板８が取り付けられている。このサブ基板８とメイン配線基板６とは、図示しない配線により電気的に接続されており、スイッチ部７を操作することによりサブ基板８に入力された信号は、メイン配線基板６に伝達されるように構成されている。また、ホルダ５およびサブ基板８の幅方向（矢印Ｌおよび矢印Ｒ方向）の長さは、それぞれ、メイン配線基板６よりも小さくなるように形成されるとともに、メイン配線基板６が載置される高さよりも下方に配置されるように構成されている。すなわち、図３および図８に示すように、ホルダ５とホルダ５に取り付けられているサブ基板８とは、レール部２ｃの矢印Ｌ方向側と中間リブ部２ｈとの間のわずかなスペースに配置するのが可能となるように構成されている。
【００３２】
また、スピーカー９は、図２および図３に示すように、ブラケット９１によりスピーカー９の背面を押えられるとともに、ねじ部材５３により固定されている。また、ＣＲＴ４を制御するためのＣＲＴ用配線基板１０には、図２および図３に示すように、ＣＲＴ４に接続される取付部１０ａが取り付けられる。また、ＣＲＴ用配線基板１０は、メイン配線基板６に取り付けられたフライバックトランス６２およびケーブル６２ａにより接続されている。
【００３３】
本実施形態では、上記のように、メイン配線基板６の裏面を支持するようにフロントキャビネット２に一体的に設けられた細長状の基板支持部２ｅの前方側に、基板支持部２ｅのメイン配線基板６を支持する部分よりも高くなるようにＣＲＴ４の防爆バンド４ｄの下部を支持する中間リブ部２ｈを、基板支持部２ｅに一体的に設けることによって、通常、メイン配線基板６がフロントキャビネット２の前方まで配置されるためにＣＲＴ４の防爆バンド４ｄの下部を直接に支持することができない部分に、ＣＲＴ４の防爆バンド４ｄの下部を支持する中間リブ部２ｈが配置されて、防爆バンド４ｄの下部が直接的に支持されるので、テレビジョン受像機１を構成するフロントキャビネット２の大きさが縮小化されてＣＲＴ４を支持する中間リブ部２ｈのための専用のスペースを十分に確保するのが難しい場合にも、重量物であるＣＲＴ４を下方から安定して支持することができる。これにより、通常、フロントキャビネット２の前面部２ｉよりも重心が後方に位置するＣＲＴ４の重量に起因して、ＣＲＴ４が後方に傾くのを抑制することができるので、フロントキャビネット２に取り付けられたＣＲＴ４の重量によるフロントキャビネットの歪みを十分に抑制することができる。
【００３４】
また、本実施形態では、フロントキャビネット２に、中間リブ部２ｈを挟むように中間リブ部２ｈから所定の間隔を隔てて、防爆バンド４ｄの両端部近傍の下部をそれぞれ支持する下部両端リブ部２ｌを一体的に設けることによって、１つの中間リブ部２ｈおよび２つの下部両端リブ部２ｌにより、ＣＲＴ４の防爆バンド４ｄの下部を３点で支持することができるので、ＣＲＴ４を、より安定的に支持した状態でフロントキャビネット２に取り付けることができる。これにより、フロントキャビネット２に取り付けられたＣＲＴ４の重量によるフロントキャビネット２の歪みをより十分に抑制することができる。
【００３５】
また、本実施形態では、下部両端リブ部２ｌの近傍に、下部両端リブ部２ｌよりも低い高さを有するとともに、下部両端リブ部２ｌが破損した場合に、防爆バンド４ｄの下部を支持する第１下部補助リブ部２ｎをフロントキャビネット２に一体的に設けることによって、衝撃などにより下部両端リブ部２ｌが破損した場合にも、第１下部補助リブ部２ｎが下部両端リブ部２ｌの代わりに防爆バンド４ｄの下部を支持することができるので、下部両端リブ部２ｌが破損するのに起因してテレビジョン受像機１全体が破損するのを抑制することができる。
【００３６】
また、本実施形態では、中間リブ部２ｈの延びる方向に対して実質的に直交するように一体的に設けられた水平リブ部２ｋを中間リブ部２ｈおよびフロントキャビネット２に一体的に設けることによって、中間リブ部２ｈに対して、中間リブ部２ｈの延びる方向に実質的に直交する方向に負荷が与えられた際に、水平リブ部２ｋにより、容易に、中間リブ部２ｈが中間リブ部２ｈに実質的に直交する方向に歪むのを抑制することができるので、中間リブ部２ｈの機械的強度を向上させることができる。
【００３７】
また、本実施形態では、基板支持部２ｅの中間リブ部２ｈ側に、メイン配線基板６の前方側の位置決めとなるストッパ部２ｆを設けることによって、メイン配線基板６が中間リブ部２ｈ側に移動するのを容易に抑制することができる。
【００３８】
また、本実施形態では、メイン配線基板６が載置される部分よりも下方で、かつ、メイン配線基板６の前方部分に、メイン配線基板６に接続されるように配置された、メイン配線基板６よりも小さいサブ基板８が配置されることによって、中間リブ部２ｈが配置されているため前方まで配置することができないメイン配線基板６に代わって、メイン配線基板６が載置されないような小さな部分にかつ、中間リブ部２ｈの高さよりも低い部分にサブ基板８を配置することができるので、通常、防爆バンド４ｄの下部を直接に支持できない部分に中間リブ部２ｈを設けることができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、フロントキャビネットに配置されるＣＲＴ（陰極線管）および回路基板を備えたテレビジョン受像機に本発明を適用する例を示したが、本発明はこれに限らず、フロントキャビネットに配置されるＣＲＴ（陰極線管）および回路基板を備えるＣＲＴディスプレイ装置などのテレビジョン受像機以外の表示装置にも本発明を適用可能である。
【００４１】
また、上記実施形態では、下部両端リブ部が破損した場合に、下部両端リブ部の代わりにＣＲＴの防爆バンドを支持する第１下部補助リブ部を設けた例を示したが、本発明はこれに限らず、下部両端リブ部が破損しなくても第１下部補助リブ部がＣＲＴの防爆バンドを支持するようにしてもよい。この場合、第１下部補助リブ部２ｎを下部両端リブ部２ｌと同じ高さに形成すればよい。
【００４２】
また、上記実施形態では、ストッパ部（段差部）と中間リブ部との間に中継部を設けた例を示したが、本発明はこれに限らず、中継部を設けずに、ストッパ部（段差部）の前方に直接中間リブ部を設けるようにしてもよい。
【００４３】
また、上記実施形態では、メイン配線基板およびサブ基板が樹脂製のホルダに取り付けられた状態でフロントキャビネットに取り付けられた例を示したが、本発明はこれに限らず、メイン配線基板およびサブ基板をホルダに取り付けずに、メイン配線基板およびサブ基板を、それぞれ、直接フロントキャビネットに取り付けるようにしてもよい。
【図面の簡単な説明】
【００４４】
【図１】本発明の一実施形態によるテレビジョン受像機の全体構成を示した斜視図である。
【図２】図１に示した一実施形態によるテレビジョン受像機の分解斜視図である。
【図３】図１に示した一実施形態によるテレビジョン受像機の構造を詳細に説明するための分解斜視図である。
【図４】図１に示した一実施形態によるテレビジョン受像機のリアキャビネットを取り外した状態を示した部分背面図である。
【図５】図４の１００−１００線に沿った断面図である。
【図６】図１に示した一実施形態によるテレビジョン受像機のフロントキャビネットの構造を詳細に説明するための斜視図である。
【図７】図１に示した一実施形態によるテレビジョン受像機のフロントキャビネットの構造を詳細に説明するための部分斜視図である。
【図８】図１に示した一実施形態によるテレビジョン受像機のフロントキャビネットに対するメイン配線基板の取付構造を詳細に説明するための部分斜視図である。
【符号の説明】
【００４５】
１  テレビジョン受像機（表示装置）
２  フロントキャビネット（前側筐体）
２ｅ  基板支持部
２ｆ  ストッパ部（段差部）
２ｈ  中間リブ部（第１リブ部）
２ｉ  水平リブ部（第４リブ部）
２ｋ  下面両端リブ部（第２リブ部）
２ｍ  第１下部補助リブ部（第３リブ部）
４  ＣＲＴ（陰極線管）
４ｄ  防爆バンド（補強バンド）
６  メイン配線基板（第１回路基板）
８  サブ基板（第２回路基板）
【図１】
2008103946.tif 000003
【図２】
2008103946.tif 000004
【図３】
2008103946.tif 000005
【図４】
2008103946.tif 000006
【図５】
2008103946.tif 000007
【図６】
2008103946.tif 000008
【図７】
2008103946.tif 000009
【図８】
2008103946.tif 000010